(57)【特許請求の範囲】
【請求項１】
ホッパー１の下部にシャッター機構挿入筒部１０を構成し、該シャッター機構挿入筒部１０の内部にシャッター機構を嵌装し、該シャッター機構の上に吐粉安定体１７を載置し、該吐粉安定体１７の上にシャッター固定金具１９を配置し、該シャッター固定金具１９は、前記ホッパー１のシャッター機構挿入筒部１０の部分の内周に両端を係止し、該シャッター固定金具１９と吐粉安定体１７の間にガイドピン２１を介装し、該ガイドピン２１の外周で、シャッター固定金具１９と吐粉安定体１７の間に付勢バネ２２を介装し、
該シャッター機構は、前記吐粉安定体１７の下方にシャッター開口体１５を配置し、該シャッター開口体１５の下方に開閉シャッター１２を設け、更に該シャッター開口体１５と開閉シャッター１２の下方に、更に開閉面積を通常散布と微量散布とに変更する切換シャッター１６を配置し、開閉シャッター１２とシャッター開口体１５と切換シャッター１６を円板状に構成して、１本のシャッター軸２３上に配置し、
前記付勢バネ２２が吐粉安定体１７を押圧し、吐粉安定体１７がシャッター開口体１５と開閉シャッター１２と切換シャッター１６を押圧し、
該開閉シャッター１２の回動機構は、調整アーム３２が結合リンク軸３１を回動し、該結合リンク軸３１が軸回動アーム３０とシャッター軸２３を共に回動し、該シャッター軸２３と一体化された開閉シャッター１２を回動すべく構成し、
該切換シャッター１６の切換機構は、切換アーム２０ｂと切換軸２０ａと切換リンク２０により構成され、該切換リンク２０の上端のボール部が切換シャッター１６の下面の係合凹部１６ｄと係合し、切換シャッター１６を回動すべく構成したことを特徴とする散粉機の散布量調整機構。
【発明の詳細な説明】
【０００１】
【発明の属する技術分野】
本発明は、ホッパーの内部に投入した薬剤を、一定量ずつ取り出しながら散布する散粉機において、特に微量で効果を発揮する微量散布薬剤の取出機構に関する。
【０００２】
【従来の技術】
従来から、散粉機のシャッター機構は、ホッパーの内部に構成したシャッター機構挿入筒部の部分に嵌装して設けられていたのである。従来は、散布する薬剤の量は一律であり、薬剤毎にそれ程の相違もなかったので、シャッター機構としては、一形式を具備しておけば、広い範囲の薬剤に対して使用が可能であった。
しかし、近年は農薬や除草剤等の使用による環境破壊の問題が大きくクローズアップされるようになり、出来るだけ農薬や除草剤等の散布量を少なくすることが要求されるようになったのである。
この要望を受けて、近年の薬剤や除草剤は、１ｈａに対し、約１ｋｇと従来の除草剤の１０分の１程度の散布量で、従来の除草剤の量と同じ効果を発揮するものが販売されるようになったのである。
【０００３】
【発明が解決しようとする課題】
このような、微量散布薬剤を散布しようとすると、従来のシャッター機構では、一気に大量の薬剤が散布される為に、微量取出が出来ないという不具合があったのである。従来はこの微量散布を行う場合には、シャッター機構の部分に、別の切換シャッター板をその都度介装し、シャッター開口体１５の開口が大き過ぎるのを解消していたのである。
本発明は、最初からシャッター機構中に切換シャッターを常時設けて、この切換シャッターをホッパーの外部から操作することにより、シャッター開口体の開口を更に小さくして、外部からのワンタッチ操作により、通常散布と微量散布の切換が容易に出来るように構成したものである。
【０００４】
【課題を解決するための手段】
本発明の解決しようとする課題は以上の如くであり、次に該課題を解決するための手段を説明する。
ホッパー１の下部にシャッター機構挿入筒部１０を構成し、該シャッター機構挿入筒部１０の内部にシャッター機構を嵌装し、該シャッター機構の上に吐粉安定体１７を載置し、該吐粉安定体１７の上にシャッター固定金具１９を配置し、該シャッター固定金具１９は、前記ホッパー１のシャッター機構挿入筒部１０の部分の内周に両端を係止し、該シャッター固定金具１９と吐粉安定体１７の間にガイドピン２１を介装し、該ガイドピン２１の外周で、シャッター固定金具１９と吐粉安定体１７の間に付勢バネ２２を介装し、該シャッター機構は、前記吐粉安定体１７の下方にシャッター開口体１５を配置し、該シャッター開口体１５の下方に開閉シャッター１２を設け、更に該シャッター開口体１５と開閉シャッター１２の下方に、更に開閉面積を通常散布と微量散布とに変更する切換シャッター１６を配置し、開閉シャッター１２とシャッター開口体１５と切換シャッター１６を円板状に構成して、１本のシャッター軸２３上に配置し、前記付勢バネ２２が吐粉安定体１７を押圧し、吐粉安定体１７がシャッター開口体１５と開閉シャッター１２と切換シャッター１６を押圧し、該開閉シャッター１２の回動機構は、調整アーム３２が結合リンク軸３１を回動し、該結合リンク軸３１が軸回動アーム３０とシャッター軸２３を共に回動し、該シャッター軸２３と一体化された開閉シャッター１２を回動すべく構成し、該切換シャッター１６の切換機構は、切換アーム２０ｂと切換軸２０ａと切換リンク２０により構成され、該切換リンク２０の上端のボール部が切換シャッター１６の下面の係合凹部１６ｄと係合し、切換シャッター１６を回動すべく構成したものである。
【０００５】
【発明の実施の形態】
次に本発明の実施の形態を説明する。
図１は本発明の散布量調整機構を具備した散粉機の後面図、
図２は吐粉安定体１７とシャッター固定金具１９とガイドピン２１の部分の散布量調整機構の側面断面図である。
【０００６】
図３はシャッター開口体１５と開閉シャッター１２と切換シャッター１６の関係を示す分解状態の斜視図、
図４は吐粉安定体１７とシャッター固定金具１９の構成の他の実施例を示す図面である。
【０００７】
図１において、本発明の散粉機の全体的な構成を説明する。
ホッパー１とファンケース２は、合成樹脂のブロー成形により一体的に構成されている。該ファンケース２の内部にファンが配置されており、該ファンから吐出される風に、ホッパー１内の薬剤を乗せて、吐出口５から散布するものである。該ファンケース２の内部のファンを駆動する駆動エンジンＥが、ファンケース２の後面に載置されている。該駆動エンジンＥの燃料タンク７が、駆動エンジンＥの下部でＬ型の載置フレーム３の上に搭載されている。
【０００８】
８は駆動エンジンＥのエアクリーナーであり、４は駆動エンジンＥのアクセル調整レバーと、開閉シャッター１２を操作する調整レバーの支持台である。該調整レバー支持台４から操作された操作力が、連動リンク２５を介して、ホッパー１とファンケース２との間の、シャッター機構挿入筒部１０の部分に配置された散布量調整機構Ａに伝達されている。該ホッパー１の下部のシャッター機構挿入筒部１０の部分にシャッター固定金具１９と吐粉安定体１７も配置されている。
【０００９】
図２と図３と図４において、本発明の散布量調整機構Ａの構成を説明する。
本発明の散布量調整機構Ａは、ホッパー１の下部に構成したシャッター機構挿入筒部１０の内部に嵌入の後に、シャッター固定金具１９を、回転掛止凹部１０ａに係合して固定している。
【００１０】
ホッパー１は前述の如く、ファンケース２と一体的に合成樹脂のブロー成形により構成されており、該ホッパー１の下部に円筒状のシャッター機構挿入筒部１０が構成されている。該シャッター機構挿入筒部１０に、ブロー成形時に金属製のシャッター環体１１が埋め込み成形されている。該シャッター環体１１はシャッター機構挿入筒部１０とは密着しており、一体的に合成樹脂材に埋め込まれている。該シャッター環体１１の内側にシール弾性筒１８を嵌装し、該シール弾性筒１８は、散布量調整機構Ａとシャッター環体１１との間からの、薬剤や液剤の外部への漏れだしを阻止するものである。
【００１１】
該シール弾性筒１８の次に切換シャッター１６と開閉シャッター１２の両方が回動する際にスムースに回動が出来るように、スライド回動受１３が嵌装されている。該スライド回動受１３は切換シャッター１６と開閉シャッター１２の外周面が接当し、また下側の切換シャッター１６の下面が接当するが、回動に抵抗を与えない軸受材料により構成されている。
【００１２】
下側から切換シャッター１６と開閉シャッター１２を順番に配置し、該開閉シャッター１２の上に、ドーナツシール板１４を介装し、該ドーナツシール板１４の上にシャッター開口体１５を載置している。該シャッター開口体１５は回動はせずに散布量調整機構Ａの側に固定されている。そしてシャッター開口体１５の下方の開閉シャッター１２と切換シャッター１６は、どちらも扇状開口部の幅だけ回動すべく構成されている。
【００１３】
該切換シャッター１６と開閉シャッター１２とシャッター開口体１５の３枚が載置された上に、吐粉安定体１７が載置されている。該吐粉安定体１７は、平面視でドーナツ形状に十の字の架橋を設けた構成であり、側面視で、図２と図４に示すような中央が盛り上がった構成としている。該吐粉安定体１７の４個の開口から、薬剤がシャッター開口体１５の上にスムースに落下するように構成している。該吐粉安定体１７の上に、シャッター固定金具１９が配置されて、該吐粉安定体１７とシャッター固定金具１９の間に、付勢バネ２２を介装している。
【００１４】
該シャッター固定金具１９は、中央のガイドピン２１を吐粉安定体１７との間に介装しており、該ガイドピン２１の外周に付勢バネ２２が介装されている。そして、シャッター固定金具１９の両端は、シャッター機構挿入筒部１０の回転掛止凹部１０ａの部分に係合されており、上方へは逃げないように構成されている。即ち、シャッター固定金具１９の両側の係止片が挿入可能な開口部が、回転掛止凹部１０ａに設けられており、該開口部からシャッター固定金具１９を下方へ嵌装した後に、僅かに円周方向に回動することにより、係止片部分が回転掛止凹部１０ａと係合して、上方へ逃げることが出来ないように構成されている。
【００１５】
図２においては、吐粉安定体１７の側から上方へガイドピン２１を突出し、シャッター固定金具１９の側には、ガイドピン２１の嵌入孔が開口されている。そして吐粉安定体１７とシャッター固定金具１９の間で、ガイドピン２１の外周に付勢バネ２２が介装された構成としている。この構成により、シャッター固定金具１９は上方へ逃げることが出来ないので、付勢バネ２２が吐粉安定体１７を押圧し、吐粉安定体１７がシャッター開口体１５と開閉シャッター１２と切換シャッター１６を押圧するのである。
【００１６】
図４の構成においては、シャッター固定金具１９の側からガイドピン２１を下方に向けて突出している。そして吐粉安定体１７にガイドピン２１の嵌入孔を開口し、該ガイドピン２１の外周に付勢バネ２２が嵌入されている。
【００１７】
次に、図３において、シャッター開口体１５と開閉シャッター１２と切換シャッター１６の構成を説明する。
シャッター開口体１５は従来の技術においても用いられている開口板であり、扇状開口１５ａから、薬剤が下降可能としている。次に本発明においては、開閉シャッター１２を配置している。該開閉シャッター１２は、シャッター開口体１５の扇状開口１５ａと同じ形状の扇状開口１２ａが穿設されている。そして該扇状開口１２ａと扇状開口１５ａの重複した開口度により、薬剤の吐出量を調整するのである。
【００１８】
該開閉シャッター１２の軸心位置にシャッター軸２３が固定されている。該シャッター軸２３は、上方へ突出した部分にシャッター開口体１５の中心部の枢支孔１５ｂを嵌装している。この構成により、シャッター軸２３を中心に開閉シャッター１２が回転可能である。該開閉シャッター１２を回転する機構は、調整アーム３２が結合リンク軸３１を回動し、該結合リンク軸３１が軸回動アーム３０をシャッター軸２３と共に回動する。このシャッター軸２３の回動により、シャッター軸２３と一体化された開閉シャッター１２が回動するのである。
【００１９】
本発明は、この下方に更に切換シャッター１６を別に配置している。該切換シャッター１６の枢支孔１６ｃに、開閉シャッター１２に固定されたシャッター軸２３が遊嵌されている。該切換シャッター１６は該シャッター軸２３を中心に回動する。該切換シャッター１６には、扇状開口１５ａと同じ形状の扇状開口１６ａと、該シャッター開口体１５の扇状開口１５ａを半分だけ閉鎖した形状の微量散布開口１６ｂが穿設されている。そして、シャッター開口体１５の扇状開口１５ａの下方に、扇状開口１６ａか微量散布開口１６ｂのどちらを配置させるかを切り換える機構が設けられている。
【００２０】
該切換シャッター１６を切換回動する機構は、切換アーム２０ｂと、切換軸２０ａと切換リンク２０により構成されており、該切換リンク２０の上端のボール部が切換シャッター１６の下面に構成されて係合凹部１６ｄと係合している。該構成により、シャッター機構挿入筒部１０の外部から切換アーム２０ｂを操作することにより、切換シャッター１６を回動し、シャッター開口体１５の扇状開口１５ａの下に、扇状開口１６ａか又は微量散布開口１６ｂのどちらかを位置させるのである。これにより、開閉シャッター１２の回動角は同じでも、通常の散布量と、微量散布量とに切り換えることが出来るのである。
【００２１】
【発明の効果】
本発明は以上の如く構成したので、次のような効果を奏するのである。
ホッパー１の下部にシャッター機構挿入筒部１０を構成し、該シャッター機構挿入筒部１０の内部にシャッター機構を嵌装し、該シャッター機構の上に吐粉安定体１７を載置し、該吐粉安定体１７の上にシャッター固定金具１９を配置し、該シャッター固定金具１９は、前記ホッパー１のシャッター機構挿入筒部１０の部分の内周に両端を係止し、該シャッター固定金具１９と吐粉安定体１７の間にガイドピン２１を介装し、該ガイドピン２１の外周で、シャッター固定金具１９と吐粉安定体１７の間に付勢バネ２２を介装し、該シャッター機構は、前記吐粉安定体１７の下方にシャッター開口体１５を配置し、該シャッター開口体１５の下方に開閉シャッター１２を設け、更に該シャッター開口体１５と開閉シャッター１２の下方に、更に開閉面積を通常散布と微量散布とに変更する切換シャッター１６を配置し、開閉シャッター１２とシャッター開口体１５と切換シャッター１６を円板状に構成して、１本のシャッター軸２３上に配置し、前記付勢バネ２２が吐粉安定体１７を押圧し、吐粉安定体１７がシャッター開口体１５と開閉シャッター１２と切換シャッター１６を押圧し、該開閉シャッター１２の回動機構は、調整アーム３２が結合リンク軸３１を回動し、該結合リンク軸３１が軸回動アーム３０とシャッター軸２３を共に回動し、該シャッター軸２３と一体化された開閉シャッター１２を回動すべく構成し、該切換シャッター１６の切換機構は、切換アーム２０ｂと切換軸２０ａと切換リンク２０により構成され、該切換リンク２０の上端のボール部が切換シャッター１６の下面の係合凹部１６ｄと係合し、切換シャッター１６を回動すべく構成したので、従来の如く、微量散布を行う場合に、シャッター機構の部分に、別の切換シャッター板をその都度介装し、シャッター開口体１５の開口が大き過ぎるのを解消する必要が無くなったのである。
本発明は、最初から、シャッター機構中に、切換シャッター１６を常時設けて、この切換シャッター１６を、ホッパー１の外部から操作することにより、シャッター開口体１５の開口を更に小さくして、外部からのワンタッチ操作により、通常散布と微量散布の切換が容易に出来るようになったのである。
【００２２】
また、散布量調整機構Ａのシャッター機構挿入筒部１０内における固定機構を、吐粉安定体１７とシャッター固定金具１９の間に、ガイドピン２１と付勢バネ２２を設けることにより構成したので、従来の如く、螺子杆を螺装するような手間が必要なく、ガイドピン２１と付勢バネ２２を介装した状態で、シャッター固定金具１９を回転掛止凹部１０ａに押し込んで、僅かに外周を回動するだけで簡単に散布量調整機構Ａの固定が出来るのである。
【図面の簡単な説明】
【図１】  本発明の散布量調整機構を具備した散粉機の後面図。
【図２】  吐粉安定体１７とシャッター固定金具１９とガイドピン２１の部分の散布量調整機構の側面断面図。
【図３】  シャッター開口体１５と開閉シャッター１２と切換シャッター１６の関係を示す分解状態の斜視図。
【図４】  吐粉安定体１７とシャッター固定金具１９の構成の他の実施例を示す図面。
【符号の説明】
Ａ  散布量調整機構
１  ホッパー
１１  シャッター環体
１２  開閉シャッター
１５  シャッター開口体
１６  切換シャッター
１７  吐粉安定体
１９  シャッター固定金具
２１  ガイドピン
２２  付勢バネ
【図２】
0003957088.tif 000002
【図３】
0003957088.tif 000003
【図４】
0003957088.tif 000004
【図１】
0003957088.tif 000005